(57)【特許請求の範囲】
【請求項１】
後面部と、該後面部の両側から前方に延びる内側面部とを有する筐体部と、
前記筐体部の下部に設けられ、自身の上面に載置された薄葉紙を取出し可能な取出口を有する薄葉紙支持部と、
前面部と、該前面部の両側から後方に延びる外側面部とを有し、前記外側面部が前記内側面部の外側に位置しつつ、各外側面部が前記筐体部の前記内側面部に対して回動自在に軸支され、前記前面部が前記筐体部の後面部に対向して該筐体部の前面開口を覆う開閉自在な蓋部と、を備え、
自身の内部空間に前記薄葉紙の積層体を収容した薄葉紙ディスペンサーであって、
前記取出口は、前記内側面部同士が並ぶ横方向に平行に延びる細長孔であり、
前記薄葉紙支持部の内面は、前記前面部と前記後面部とが並ぶ厚み方向において下方に向かって先細りつつ前記取出口に繋がり、
前記薄葉紙支持部の内側面には、内側に向かって突出しつつ２段以上の段状に形成され、各段は下方に向かうほど内側に突出する段部が設けられている薄葉紙ディスペンサー。
【請求項２】
前記薄葉紙支持部が前記筐体部に対し、前記厚み方向に傾角可変に固定される請求項１記載の薄葉紙ディスペンサー
【請求項３】
前記段部の各段は、下方に向かうほど前記厚み方向にも突出する請求項１又は２記載の薄葉紙ディスペンサー。
【請求項４】
前記前面部の内面の前記横方向の中心部が周囲より後方に凹み、当該凹部と前記後面部の内面とに前記薄葉紙の積層体が接する請求項１〜３のいずれかに記載の薄葉紙ディスペンサー。
【発明の詳細な説明】
【技術分野】
【０００１】
本発明は、自身の内部空間に収容した薄葉紙の積層体を、下部から取出す薄葉紙ディスペンサーに関する。
【背景技術】
【０００２】
全体として略箱形をなし、下部に設けられた取出口から、自身の内部空間に収容した薄葉紙（キッチンペーパー、ペーパータオル等）の積層体を１枚ずつ取出す薄葉紙ディスペンサーが店舗等で種々用いられている。
このような薄葉紙ディスペンサーにおいては、薄葉紙が１枚でなく束になって取出される点が従来から問題となっていた。そこで、取出口に向かう薄葉紙ディスペンサーの内面に所定の傾斜角を設定し、薄葉紙をそれら傾斜面で適度に支持することで、薄葉紙が束になって取出される事故を低減した技術が提案されている（特許文献１参照）。
又、取出口に向かう薄葉紙ディスペンサーの内側面に、内側に突出する突出部を設け、薄葉紙の引き出し時に適度な抵抗を与えてスムーズな引き出しを実現し、薄葉紙が束になって取出される事故を低減した技術が提案されている（特許文献２参照）。
【先行技術文献】
【特許文献】
【０００３】
【特許文献１】特開2009-29511号公報
【特許文献２】特開2009-136586号公報
【発明の概要】
【発明が解決しようとする課題】
【０００４】
しかしながら、依然として薄葉紙が束になって取出されることを有効に防止することは困難であった。また、これらのディスペンサーはほぼ真下に向かってシートを引き出す構造となっており、収納されたシートが満載に近い状態と少ない状態とでシートの引き出し抵抗が異なることがある。そのため、シート満載時には抵抗が大きくシートが千切れやすく、あるいは人間の習性上、真下よりはむしろ手前に引っ張る傾向にあるため、斜め引きとなってやはりシートの抵抗が大きくなる、千切れ易い原因となっている。
すなわち、本発明は、薄葉紙が引き出し易く、引き出しがスムーズであると共に、薄葉紙が束になって取出されることを有効に防止した薄葉紙ディスペンサーの提供を目的とする。
【課題を解決するための手段】
【０００５】
上記課題を解決するため、本発明の薄葉紙ディスペンサーは、後面部と、該後面部の両側から前方に延びる内側面部とを有する筐体部と、前記筐体部の下部に設けられ、自身の上面に載置された薄葉紙を取出し可能な取出口を有する薄葉紙支持部と、前面部と、該前面部の両側から後方に延びる外側面部とを有し、前記外側面部が前記内側面部の外側に位置しつつ、各外側面部が前記筐体部の前記内側面部に対して回動自在に軸支され、前記前面部が前記筐体部の後面部に対向して該筐体部の前面開口を覆う開閉自在な蓋部と、を備え、自身の内部空間に前記薄葉紙の積層体を収容した薄葉紙ディスペンサーであって、前記取出口は、前記内側面部同士が並ぶ横方向に平行に延びる細長孔であり、前記薄葉紙支持部の内面は、前記前面部と前記後面部とが並ぶ厚み方向において下方に向かって先細りつつ前記取出口に繋がり、前記薄葉紙支持部の内側面には、内側に向かって突出しつつ２段以上の段状に形成され、各段は下方に向かうほど内側に突出する段部が設けられている。
このような構成とすると、取出口から最下層の薄葉紙が取り出されると、その上の薄葉紙も下方に引張られ、段状の段部に衝突するときの衝撃力で薄葉紙がばらけて１枚ずつ分離する。このようにして、取出口２５の薄葉紙積層体がばらけるので、薄葉紙が束になって取出されることを有効に防止することができる。
【０００６】
前記薄葉紙支持部が前記筐体部に対し、前記厚み方向に傾角可変に固定されるとよい。
前記段部の各段は、下方に向かうほど前記厚み方向にも突出するとよい。
前記前面部の内面の前記横方向の中心部が周囲より後方に凹み、当該凹部と前記後面部の内面とに前記薄葉紙の積層体が接するとよい。
【発明の効果】
【０００７】
この発明によれば、薄葉紙が引き出し易く、引き出しがスムーズであると共に、薄葉紙が束になって取出されることを有効に防止した薄葉紙ディスペンサーが得られる。
【図面の簡単な説明】
【０００８】
【図１】本発明の第１の実施形態に係る薄葉紙ディスペンサーの蓋部を開いたときの斜視図である。
【図２】薄葉紙ディスペンサーの蓋部を閉じたときの正面図である。
【図３】薄葉紙ディスペンサーの蓋部を開閉したときの側面図である。
【図４】薄葉紙ディスペンサーの蓋部を閉じたときの上面図である。
【図５】薄葉紙支持部の正面図である。
【図６】薄葉紙支持部の側面図である。
【図７】本発明の第２の実施形態に係る薄葉紙ディスペンサーの側面図である。
【図８】第２の実施形態における薄葉紙支持部の側面図である。
【図９】薄葉紙支持部の上面図である。
【図１０】段部を設けることによる作用を示す図である。
【図１１】従来の薄葉紙ディスペンサーの突起による作用を示す図である。
【発明を実施するための形態】
【０００９】
以下、本発明の実施形態について説明する。
図１は、本発明の第１の実施形態に係る薄葉紙ディスペンサー１００の蓋部３０を開いたときの斜視図を示す。薄葉紙ディスペンサー１００はＡＢＳ樹脂等の樹脂製であり、筐体部１０と、筐体部１０の下部に設けられた薄葉紙支持部２０と、筐体部１０の前面開口を覆う開閉自在な蓋部３０とを備えている。
なお、筐体部１０の後面部１１が壁面等の取付け対象に取り付けられ、薄葉紙ディスペンサー１００自身は取付け対象から手前側へ突出する。従って、後面部１１から手前側へ向かう方向を「前方」と称し、手前側から後面部１１へ向かう方向を「後方」と称する。又、薄葉紙ディスペンサー１００の薄葉紙支持部２０側を「下側、下方」とし、反対側を「上側、上面」とする。
又、以下の内側面部１２、１３同士が並ぶ方向を横方向Ｗとし、以下の前面部３１と後面部１１とが並ぶ方向を厚み方向Ｄとする。又、上下方向を符号Ｈで表す。
【００１０】
筐体部１０は、平板状の後面部１１と、後面部１１の両側から前方にそれぞれ直角に延びる２つの内側面部１２、１３と、内側面部１２、１３の上端後方側及び後面部１１上端を接続する上面部１４とを有する。そして、上面部１４より前方側の内側面部１２、１３の上端は半円形の角部１２Ｒ，１３Ｒを形成している。
筐体部１０の前面及び下面は開口され、この前面開口から筐体部１０内に薄葉紙の積層体８０を収容可能になっている。又、薄葉紙の積層体８０は、その積層面が薄葉紙支持部２０に近い領域で徐々に傾斜するようにして収容される。
薄葉紙としては、抄紙や不織布等からなるキッチンペーパー、ペーパータオル、ワイパー等が例示される。薄葉紙は、横方向Ｗに沿って例えば２つ折りされ、隣接する薄葉紙の折り返し縁同士を重ねている。このため、薄葉紙を１枚取り出すと、次の薄葉紙の一部が引き出され、次回の取出しが容易になっている。なお、薄葉紙の折り方は２つ折りに限定されず、公知の折り方（例えばＺ折り）を採用することができる。
【００１１】
筐体部１０の下面開口を閉塞するようにして、略半円筒状の薄葉紙支持部２０が内側面部１２、１３の間に前後方向（厚み方向Ｄ）の傾角が可変となるように固定されている。より詳しくは、薄葉紙支持部２０の筒面の軸方向を横方向Ｗと平行にしつつ、薄葉紙支持部２０の両側部２２、２３を筐体部１０の内側面部１２、１３の内側に所定の傾角で固定するようになっている。このとき、上記傾角は、０°（つまり、取出口２５の開口面２５ａが上下方向Ｈに垂直；図６参照）から、＋３０°（つまり、取出口２５の開口面２５ａが上下方向Ｈから３０°手前側に傾いている；図８参照）の範囲で任意の角度とすることができる。なお、第１の実施形態においては、傾角を０°としている。
このため、両側部２２、２３は外側に突出する係合部２８ａ（図５参照）を備え、内側面部１２、１３には該係合部２８ａを遊嵌しつつ傾角の調整が可能な長円状の係合孔１２ｆ、１３ｆ（図３には１３ｆを表示）が設けられ、係合孔１２ｆ、１３ｆは係合部２８ａより大きくなっている。又、両側部２２、２３は外側に突出する円柱状の軸２８ｂ（図５参照）を備え、内側面部１２、１３には軸２８ｂを軸支する丸い係合孔２３ｂが設けられている。そして、係合孔２３ｂで軸２８ｂを軸支しつつ、係合孔１２ｆ、１３ｆに遊嵌した係合部２８ａを軸２８ｂ周りに回動させて所望の傾角に調整する。その後、両側部２２、２３にネジ止めされた雄ネジ２８ｃを内側面部１２、１３に向かって突出させ当接させることで、薄葉紙支持部２０が所定の傾角で位置決めされつつ筐体部１０の下面に固定される。
なお、この実施形態では、筐体部１０と薄葉紙支持部２０とを別体としているが、一体成形等により両者を一体としてもよい。但し、この場合、薄葉紙支持部２０の前後方向の傾角は一定の値に固定される。又、この実施形態では、内側面部１２、１３の間に薄葉紙支持部２０を固定しているが、両者を固定する場合の態様はこれに限られない。
【００１２】
さらに、薄葉紙支持部２０の最下面には、横方向Ｗに平行に延びる取出口２５が開口し、取出口２５はスリット状の細長孔をなしている。又、取出口２５の横方向Ｗ中央部は上部に向かって略台形状に切り欠けられて凹欠部２６を形成している。そして、薄葉紙支持部２０の上面に薄葉紙の積層体８０を載置して使用を開始する際、凹欠部２６から積層面に触れて最初の１枚の薄葉紙を掴み易いという利点がある。
又、詳しくは後述するが、薄葉紙支持部２０の両側部（内側面）２２、２３には、内側に向かって突出する段部４０、５０がそれぞれ設けられている。各段部４０、５０は、２段以上の段状に形成され、各段は下方に向かうほど内側に突出するようになっている。
【００１３】
蓋部３０は、前面部３１と、前面部３１の両側からそれぞれ後方に直角に延びる２つの外側面部３２、３３とを有している。前面部３１の上端及び下端は後方に向かって湾曲し、前面部３１の上端湾曲部は蓋部３０の上面を形成している。一方、前面部３１の下端湾曲部は下面側が解放されている。又、前面部３１の中央部には、内面に向かって凹む凹部３４が形成されている。
外側面部３２、３３の内面同士の間隔は、筐体部１０の内側面部１２、１３の外面同士の間隔よりわずかに広幅になっていて、外側面部３２、３３の間に筐体部１０の内側面部１２、１３を収容可能になっている。そして、外側面部３２、３３の下方の内面には内側に突出する円柱状の突起３２ａ、３３ａ（図２参照）が形成されている。一方、内側面部１２、１３の下方の外面にはこの突起が嵌合される円孔２２ａ、２３ａ（２３ａのみ図示）が形成され、外側面部３２、３３の間に筐体部１０の内側面部１２、１３を収容しつつ、突起を円孔２２ａ、２３ａに嵌合することで、外側面部３２、３３（及び蓋部３０）が内側面部１２、１３（及び筐体部１０）に対して回動自在に軸支される。
【００１４】
そして、図１のＡ方向に沿って蓋部３０を上方に回動すると、蓋部３０の前面部３１が筐体部１０の後面部１１に対向しつつ、筐体部１０の前面開口を覆う。ここで、蓋部３０の上面をなす湾曲部は、筐体部１０の内側面部１２、１３の角部１２Ｒ，１３Ｒにほぼ沿って湾曲しており、蓋部３０上面の内面部分に角部１２Ｒ，１３Ｒが接触しないようになっている。一方、蓋部３０の下面側の解放部から、薄葉紙支持部２０の取出口２５が露出するようになっている。
なお、筐体部１０の上面１４には係合凸部１４ａが形成され、蓋部３０の上面の内面側には係合片３１ａが形成されている。そして、図１のＡ方向に沿って蓋部３０を上方に回動させると、係合片３１ａが係合凸部１４ａを乗り越えた時点で回動が終了し、蓋部３０が筐体部１０に係止されるようになっている。
蓋部３０が筐体部１０に係止され筐体部１０の前面開口を覆ったときを「蓋部３０を閉じた」と称し、蓋部３０が筐体部１０の前面開口を覆っていないときを「蓋部３０を開いた」と称する。
【００１５】
図２は、薄葉紙ディスペンサー１００の蓋部３０を閉じたときの正面図を示す。
蓋部３０の前面部３１の内面の横方向Ｗの中心部Ｃｅが後方に凹み、凹部３４が形成されている。凹部３４により薄葉紙ディスペンサーの厚み方向の寸法を抑えることができ、省スペースとなる。又、蓋部３０の下端縁３１ｂが上に凸に湾曲し、蓋部３０下端の解放部から、薄葉紙支持部２０の取出口２５及び凹欠部２６が露出し、凹欠部２６から薄葉紙積層体の積層面に触れることにより、最初の１枚の薄葉紙８１が引き出されていることがわかる。
【００１６】
図３は、薄葉紙ディスペンサー１００の蓋部３０を開閉したときの側面図を示す。蓋部３０の前面部３１の下方内側に、横方向Ｗに並ぶ２つのガイドリブ３５が形成され（１つのみ図示）、ガイドリブ３５は内面側に突出している。又、蓋部３０を閉じたときにガイドリブ３５に対向するよう、筐体部１０の後面部１１の下方内側に、横方向Ｗに並ぶ２つのガイドリブ１５が形成され（１つのみ図示）、ガイドリブ１５は内面側に突出している。
各ガイドリブ１５、３５は、下方に向かって突出量が連続的に増えるよう、三角形状の片をなしている。そして、薄葉紙積層体８０の厚み方向Ｄの寸法をＤ８０とすると、対向するガイドリブ１５、３５の厚み方向Ｄの隙間Ｄｇは下方側でＤ８０より小さくなり、薄葉紙積層体８０の下面がガイドリブ１５、３５に当接して支持されると共に撓み、薄葉紙積層体８０の上側部分の荷重が下側部分にかかり難くなる。このため、下側部分の薄葉紙を取出したときに、上側部分の薄葉紙積層体８０が束になって落下することを抑制する。
【００１７】
図４は、薄葉紙ディスペンサー１００の蓋部３０を閉じたときの上面図を示す。蓋部３０の前面部３１の下方内側に、横方向Ｗに並ぶ２つのガイドリブ３５が形成され（１つのみ図示）、ガイドリブ３５は内面側に突出している。又、蓋部３０を閉じたときにガイドリブ３５に対向するよう、筐体部１０の後面部１１の下方内側に、横方向Ｗに並ぶ２つのガイドリブ１５が形成され（１つのみ図示）、ガイドリブ１５は内面側に突出している。
又、前面部３１の内面の横方向Ｗの中心部Ｃｅが周囲より後方に凹み、凹部３４が形成されていることがわかる。ここで、凹部３４と後面部１１の内面との間隔は、薄葉紙積層体８０の寸法Ｄ８０より若干狭く、凹部３４と後面部１１の内面とに薄葉紙積層体８０を接しさせると、薄葉紙積層体８０の一部が凹部３４と後面部１１に当接して支持され、薄葉紙積層体８０の上側部分の荷重が下側部分にかかり難くなり、ガイドリブ１５と同様の効果が生じる。又、前面部３１内面を横方向Ｗの中心部Ｃｅに向かって湾曲させ、中心部Ｃｅ近傍のみを薄葉紙積層体８０と接触させることで、前面部３１内面の横方向Ｗの端部側では薄葉紙積層体８０と離間するため、薄葉紙積層体８０と前面部３１内面との摩擦が過度に高くならず、薄葉紙積層体８０が円滑に落下する。
【００１８】
図５は、薄葉紙支持部２０の正面図を示す。薄葉紙支持部２０の両側部（内側面）２２、２３には、内側に向かって突出する段部４０、５０がそれぞれ設けられている。段部４０は、上側から順に、上側基部４１、上側基部４１の垂直側面から段状に（水平に）内側に突出する第１段４２、第１段４２の垂直側面から段状に内側に突出する第２段４３、第２段４３の垂直側面から段状に内側に突出する第３段４４を備えている。上側基部４１及び各段４２〜４４の角部は湾曲している。同様に段部５０は、上側から順に、上側基部５１及び第１段５２〜第３段５４を備えている。従って、各段部４０，５０の間隔は下方に向かうほど狭くなり、第３段４４、５４の間隔が最も狭くなっている。
【００１９】
図６は、薄葉紙支持部２０の側面図を示す。側面から見て薄葉紙支持部２０は略半円状をなしている。そして、前方側の内面２０ａが下方に向かって半円弧状に後方側に湾曲し、上下方向Ｈに水平な下端縁２０ｃに繋がっている。同様に、後方側の内面２０ｂが下方に向かって半円弧状に前方側に湾曲し、上下方向Ｈに水平な下端縁２０ｃに繋がっている。下端縁２０ｃで囲まれるスリット状の細長孔が取出口２５を形成する。
このように、厚み方向Ｄにおいて、薄葉紙支持部２０の内面２０ａ、２０ｂは下方に向かって弧状に滑らかに先細りつつ取出口２５に繋がっている。このため、薄葉紙積層体８０が内面２０ａ、２０ｂにスムーズに案内され、取出口２５から取り出し易くなる。
【００２０】
又、この実施形態では、内面２０ａ、２０ｂの曲率が略同一である。又、段部５０（段部４０も同様）の各段５２〜５４は、下方に向かうほど厚み方向Ｄにも突出する。これにより、薄葉紙積層体５０が下方に移動するにつれて段との薄葉紙の支持面積を増やし、段による薄葉紙の保持効果を高めるので、最下方の薄葉紙を引き出す際に、薄葉紙積層体が連続して取り出され難く、隣接する薄葉紙の分離効果が高まる。
【００２１】
次に、図７、図８を参照し、本発明の第２の実施形態に係る薄葉紙ディスペンサー１１０について説明する。図７は、薄葉紙ディスペンサー１１０の蓋部３０を閉じたときの側面図を示し、図８は、薄葉紙支持部２０の側面図を示す。但し、第２の実施形態は、薄葉紙支持部２０の傾角θを＋３０°としたこと以外は第１の実施形態と同一であるので、第１の実施形態と同一部分については同一符号を付して説明を省略する。
図７、図８に示すように、第２の実施形態においては、取出口２５の開口面が上下方向Ｈから３０°手前側に傾いており、引出し側２０ａが係合孔２３ｂを中心に３０°傾き、後側２０ｂよりやや高くなっている。従って、薄葉紙支持部２０の内面２０ａ、２０ｂに案内された薄葉紙積層体８０は、急斜面の内面２０ｂ側で落下量が大きくなり、前方側を上にして斜めになる。その結果、凹欠部２６を見下ろす位置にある使用者は、薄葉紙積層体８０の積層側面及び薄葉紙の底面を凹欠部２６からほぼ同時に見ることになり、薄葉紙の有無の確認や薄葉紙の引き出し端部が見えやすくなる。また、薄葉紙支持部２０の内面２０ａ、２０ｂに案内された薄葉紙積層体は、前方側に押し出され、使用者は、下方から手前側に薄葉紙を引出し易くなる。
【００２２】
図９は、薄葉紙支持部２０の上面図を示す。横方向Ｗに平行に取出口２５が延び、取出口２５の横方向Ｗ中央部は上部に向かって略台形状に切り欠けられて凹欠部２６を形成している。
又、厚み方向Ｄにおいて、各段部４０，５０の厚みは取出口２５の幅と略同一になっている。
【００２３】
次に、図１０、図１１を参照し、各段部４０，５０を設けることによる作用について説明する。なお、簡単のため、左側の段部４０のみ表示するが、段部５０についても同様である。
図１０に示すように、薄葉紙積層体８０の下側の薄葉紙８１、８２は、まず段部４０の上側基部４１の上面に引っ掛かる。この状態で、取出口２５（図示せず）から最下層の薄葉紙が取り出されると、薄葉紙８１、８２も下方に引張られ、上側基部４１から一気に第１段４２の上面に衝突する。すると、このときの衝撃力で薄葉紙８１、８２がばらけて１枚ずつ分離する。具体的には、上方の薄葉紙８２が第１段４２の上面に引っ掛かる一方、下方の薄葉紙８１は第１段４２に衝突した衝撃でさらに下方の第２段４３の上面に引っ掛かる。
このようにして、各段部４０，５０により、取出口２５近傍の下側の薄葉紙積層体８０がばらけるので、薄葉紙が束になって取出されることを有効に防止することができる。
【００２４】
図１１は、従来の薄葉紙ディスペンサーの突起４００（例えば、特許文献２の図5、図６の突起２９に相当）による作用を示す。
突起４００は斜面４００ａを有しており、取出口２５（図示せず）から最下層の薄葉紙が取り出されると、薄葉紙８１、８２は斜面４００ａに沿って下方に引張られるが、急峻な段差が存在しないため、大きな衝撃力が加わらず、薄葉紙８１、８２がばらけ難い。従って、依然として薄葉紙が束になって取出されることがある。
【００２５】
なお、段差による衝撃力を薄葉紙積層体に加えるため、上側基部４１や各段４２〜４４の側面（例えば、図１０の上側基部４１の側面４１ａ）は垂直に切り立っていることが好ましいが、各段部４０，５０を樹脂成形等する場合の型抜きを容易にするため、垂直よりわずかに緩い角度をなしていてもよい。この角度は０°〜５°が好ましい。
又、各段部４０，５０は、両側部（内側面）２２、２３からそれぞれ内側に向かって突出する上側基部４１、５１を備えることを必須とし、この上側基部４１、５１から少なくも１段の段差を設けた第１段４２、５２を備えることを必須とする。このように、段は１つであってもよいが、２段以上の段（第１段４２、第２段４３等）を設けると、取出口２５近傍の下側の薄葉紙積層体８０がさらにばらけ易くなるので好ましい。
【００２６】
本発明は上記した実施形態に限定されず、本発明の思想と範囲に含まれる様々な変形及び均等物に及ぶことはいうまでもない。
【符号の説明】
【００２７】
１０                      筐体部
１１                      後面部
１２，１３                内側面部
２０                      薄葉紙支持部
２２，２３                薄葉紙支持部の内側面
２５                      取出口
３０                      蓋部
３１                      前面部
３２，３３                外側面部
３４                      凹部
４０，５０                段部
４２〜４４、５２〜５４    段
８０                      薄葉紙の積層体
１００、１１０            薄葉紙ディスペンサー
Ｗ                        内側面部同士が並ぶ横方向
Ｄ                        前面部と後面部とが並ぶ厚み方向
【図１】
0005579519.tif 000002
【図２】
0005579519.tif 000003
【図３】
0005579519.tif 000004
【図４】
0005579519.tif 000005
【図５】
0005579519.tif 000006
【図６】
0005579519.tif 000007
【図７】
0005579519.tif 000008
【図８】
0005579519.tif 000009
【図９】
0005579519.tif 000010
【図１０】
0005579519.tif 000011
【図１１】
0005579519.tif 000012